【事件の表示】
　特許第３１６２３１５号「生理的バランス検査判定装置」の請求項１、２に係る特許に対する特許異議の申立てについて、次のとおり決定する。
【結　論】
　訂正を認める。
　特許第３１６２３１５号の請求項１に係る特許を維持する。
【理　由】
１．手続の経緯
　特許３１６２３１５号の請求項１、２に係る発明についての出願は、平成９年２月１７日に特許出願され、平成１３年２月２３日にその発明について特許権の設定登録がされ、その後、その特許について、異議申立人村田弘之により特許異議の申立てがなされ、取消しの理由が通知され、その指定期間内である平成１４年８月２１日に訂正請求（後日取下げ）がなされた後、再度取消しの理由が通知され、その指定期間内である平成１５年６月１６日に訂正請求がなされたものである。
　　　
２．訂正の適否についての判断
（１）訂正の内容
　特許権者が求めている訂正の内容は以下のａ、ｂ、ｃ、ｄのとおりである。
　Ａ．訂正事項ａ
　発明の名称について、「生理的バランス検査判定装置及び低周波治療装置」を「生理的バランス検査判定装置」と訂正する。
　　　
　Ｂ．訂正事項ｂ
　特許請求の範囲の請求項１について、「被検体の検査部位表面に所定の周波数，電圧の低周波の検査判定用の矩形波パルスを印加して前記被検体に刺激を与える電気刺激装置と、前記電気刺激装置に設けられ，前記被検体の前記検査判定用の矩形波パルスの生理的通流値を計測する通流値計測手段と、前記通流値計測手段の計測結果をコンピュータにより演算処理して前記被検体の生理的バランスに関連したデータを収集し，検査判定の案内情報及び前記計測結果等の治療支援情報の画像表示出力を形成する演算処理装置と、前記画像表示出力を画面表示するモニタ表示装置とを備えたことを特徴とする生理的バランス検査判定装置」を「被検体の検査部位表面に所定の周波数，電圧の低周波の検査判定用の矩形波パルスを印加して前記被検体に刺激を与える電気刺激装置と、前記電気刺激装置に設けられ，前記被検体の前記検査判定用の矩形波パルスの生理的通流値を計測する通流値計測手段と、前記通流値計測手段の計測結果をコンピュータにより演算処理して前記被検体の生理的バランスに関連したデータを収集し，検査判定の案内情報及び治療支援情報の画像表示出力を形成する演算処理装置と、前記画像表示出力を画面表示するモニタ表示装置とを備え、前記検査判定の案内情報として、前記モニタ表示装置に表示される、検査判定の順序の案内画面及び部位の案内画面の画像表示出力を形成し、前記部位の案内画面の画像表示出力により、前記モニタ表示装置に、これから実施すべき検査点の位置を画面表示するようにし、前記順序をつぎのようにすることを特徴とする生理的バランス検査判定装置。（ｉ）初期段階における所定の検査項目からなる検査判定　（ｉｉ）筋肉疾患の場合：筋肉の部位の検査判定　（ｉｉｉ）（ｉ）、（ｉｉ）にもとづく処置により痛みが軽減されない場合：筋肉のバランスの検査判定　（ｉｖ）（ｉｉｉ）にもとづく処置により痛みが軽減されない場合：頚・手・腰・足の相関関係の検査判定　ただし、（ｉ）、（ｉｉ）、（ｉｉｉ）、（ｉｖ）の検査判定に、検査順の表示・検査部位の表示、処置方法の表示・処置の詳細表示を含む。」と訂正する。
　　　
　Ｃ．訂正事項ｃ
　請求項２を削除する。
　　　
　Ｄ．訂正事項ｄ
　発明の詳細な説明の記載について、以下のように訂正する。
　　ア．段落【０００１】の「及びこの装置を組込んだ低周波治療装置」を削除する。
　　イ．段落【００１３】の「被検体の・・・・・・備える。」を「被検体の検査部位表面に所定の周波数，電圧の低周波の検査判定用の矩形波パルスを印加して前記被検体に刺激を与える電気刺激装置と、前記電気刺激装置に設けられ，前記被検体の前記検査判定用の矩形波パルスの生理的通流値を計測する通流値計測手段と、前記通流値計測手段の計測結果をコンピュータにより演算処理して前記被検体の生理的バランスに関連したデータを収集し，検査判定の案内情報及び治療支援情報の画像表示出力を形成する演算処理装置と、前記画像表示出力を画面表示するモニタ表示装置とを備え、前記検査判定の案内情報として、前記モニタ表示装置に表示される、検査判定の順序の案内画面及び部位の案内画面の画像表示出力を形成し、前記部位の案内画面の画像表示出力により、前記モニタ表示装置に、これから実施すべき検査点の位置を画面表示するようにし、前記順序をつぎのようにすることを特徴とする生理的バランス検査判定装置。（ｉ）初期段階における所定の検査項目からなる検査判定　（ｉｉ）筋肉疾患の場合：筋肉の部位の検査判定　（ｉｉｉ）（ｉ）、（ｉｉ）にもとづく処置により痛みが軽減されない場合：筋肉のバランスの検査判定　（ｉｖ）（ｉｉｉ）にもとづく処置により痛みが軽減されない場合：頚・手・腰・足の相関関係の検査判定　ただし、（ｉ）、（ｉｉ）、（ｉｉｉ）、（ｉｖ）の検査判定に、検査順の表示・検査部位の表示、処置方法の表示・処置の詳細表示を含む。」と訂正する。
　　ウ．段落【００１８】〜【００２１】の「【００１８】つぎに、本発明の・・・・・・とが行える。」を削除する。
　　エ．段落【０１１８】の「まず、請求項１記載の生理的バランス検査判定装置の場合、」を「本発明の請求項１記載の生理的バランス検査判定装置は、」と訂正する。
　　オ．段落【０１２０】の「提供できる。」を「提供できる。そして、前記検査判定の案内情報として、前記モニタ表示装置に表示される、検査判定の順序の案内画面及び部位の案内画面の画像表示出力を形成し、前記部位の案内画面の画像表示出力により、前記モニタ表示装置に、これから実施すべき検査点の位置を画面表示することができ、前記順序をつぎのようにすることができる。（ｉ）初期段階における所定の検査項目からなる検査判定　（ｉｉ）筋肉疾患の場合：筋肉の部位の検査判定　（ｉｉｉ）（ｉ）、（ｉｉ）にもとづく処置により痛みが軽減されない場合：筋肉のバランスの検査判定　（ｉｖ）（ｉｉｉ）にもとづく処置により痛みが軽減されない場合：頚・手・腰・足の相関関係の検査判定　ただし、（ｉ）、（ｉｉ）、（ｉｉｉ）、（ｉｖ）の検査判定に、検査順の表示・検査部位の表示、処置方法の表示・処置の詳細表示を含む。」と訂正する。
　　カ．段落【０１２３】〜【０１２５】の「【０１２３】つぎに、・・・・・・できる。」を削除する。
　　　
（２）訂正の目的の適否、新規事項の有無、及び特許請求の範囲の拡張・変更の存否
　Ａ．訂正事項ａは、訂正事項ｃの請求項２の削除にともなって発明の名称を変更するものであり、明りょうでない記載の釈明を目的とする明細書の訂正に該当するものであって、新規事項の追加に該当せず、また、実質上特許請求の範囲を拡張し、又は変更するものでもない。
　　　
　Ｂ．訂正事項ｂは、特許明細書の特許請求の範囲に記載された「検査判定の案内情報」として、より下位概念である「前記モニタ表示装置に表示される、検査判定の順序の案内画面及び部位の案内画面の画像表示出力を形成し、前記部位の案内画面の画像表示出力により、前記モニタ表示装置に、これから実施すべき検査点の位置を画面表示するようにし、前記順序をつぎのようにする。（ｉ）初期段階における所定の検査項目からなる検査判定　（ｉｉ）筋肉疾患の場合：筋肉の部位の検査判定　（ｉｉｉ）（ｉ）、（ｉｉ）にもとづく処置により痛みが軽減されない場合：筋肉のバランスの検査判定　（ｉｖ）（ｉｉｉ）にもとづく処置により痛みが軽減されない場合：頚・手・腰・足の相関関係の検査判定　ただし、（ｉ）、（ｉｉ）、（ｉｉｉ）、（ｉｖ）の検査判定に、検査順の表示・検査部位の表示、処置方法の表示・処置の詳細表示を含む。」ことに限定しようとするものである。また、この訂正事項ｂは、特許明細書の段落【００７７】、【００８３】、【００８４】、【００８６】、【０１００】、【０１０１】及び【０１０５】並びに図６に記載されていたものである。そうすると、上記訂正事項ｂは、特許明細書に記載された事項の範囲内において「検査判定の案内情報」を限定したものといえるから、特許請求の範囲の減縮を目的とした明細書の訂正に該当するものであって、新規事項の追加に該当せず、また、実質上特許請求の範囲を拡張し、又は変更するものではない。
　　　
　Ｃ．訂正事項ｃは、特許請求の範囲の減縮を目的とした明細書の訂正に該当し、新規事項の追加に該当せず、実質上特許請求の範囲を拡張し、又は変更するものではない。
　　　
　Ｄ．訂正事項ｄは、訂正事項ａ、ｂ及びｃの訂正にともない、発明の名称及び特許請求の範囲の記載と、発明の詳細な説明の記載との整合をとるものである。よって、上記訂正事項ｄは明りょうでない記載の釈明を目的とする明細書の訂正に該当するものであって、新規事項の追加に該当せず、また、実質上特許請求の範囲を拡張し、又は変更するものでもない。
　　　
（３）むすび
　以上のとおりであるから、上記訂正は特許法第１２０条の４第２項及び同条第３項において準用する第１２６条第２、３項の規定に適合するので、当該訂正を認める。
　　　
３．特許異議の申立てについて
（１）申立ての理由の概要
　特許異議申立人村田弘之は、特許第３１６２３１５号の請求項１及び請求項２に係る発明は、甲第１号証及び甲第２号証に記載された発明に基づいて当業者が容易に発明をすることができたものであるから、特許法第２９条第２項の規定により特許を受けることができない発明であって、それら発明に係る特許は、特許法第１１３条第２号に該当するので取り消されるべきものであり、また、請求項１及び請求項２に係る発明の特許は、その明細書が特許法第３６条第４項に規定する要件を満たしていない特許出願に対してなされたものであり、特許法第１１３条第４号に該当するので取り消されるべきものである旨主張している。
　　　
（２）本件発明
　平成１５年６月１６日付けの訂正明細書の請求項１に係る発明（以下、「本件発明」という。）は、訂正明細書の特許請求の範囲の請求項１に記載された事項により特定される次のとおりのものである。
　「被検体の検査部位表面に所定の周波数，電圧の低周波の検査判定用の矩形波パルスを印加して前記被検体に刺激を与える電気刺激装置と、前記電気刺激装置に設けられ，前記被検体の前記検査判定用の矩形波パルスの生理的通流値を計測する通流値計測手段と、前記通流値計測手段の計測結果をコンピュータにより演算処理して前記被検体の生理的バランスに関連したデータを収集し，検査判定の案内情報及び治療支援情報の画像表示出力を形成する演算処理装置と、前記画像表示出力を画面表示するモニタ表示装置とを備え、前記検査判定の案内情報として、前記モニタ表示装置に表示される、検査判定の順序の案内画面及び部位の案内画面の画像表示出力を形成し、前記部位の案内画面の画像表示出力により、前記モニタ表示装置に、これから実施すべき検査点の位置を画面表示するようにし、前記順序をつぎのようにすることを特徴とする生理的バランス検査判定装置。（ｉ）初期段階における所定の検査項目からなる検査判定　（ｉｉ）筋肉疾患の場合：筋肉の部位の検査判定　（ｉｉｉ）（ｉ）、（ｉｉ）にもとづく処置により痛みが軽減されない場合：筋肉のバランスの検査判定　（ｉｖ）（ｉｉｉ）にもとづく処置により痛みが軽減されない場合：頚・手・腰・足の相関関係の検査判定　ただし、（ｉ）、（ｉｉ）、（ｉｉｉ）、（ｉｖ）の検査判定に、検査順の表示・検査部位の表示、処置方法の表示・処置の詳細表示を含む。」
　　　
（３）引用刊行物
　刊行物１：特開平８−２９９４６６号公報（特許異議申立人の提示した甲第１号証）
　刊行物２：日本鍼灸良導絡医学会学術部発行「良導絡　自律神経調整療法《基礎編》」１９９３年４月１日（特許異議申立人の提示した甲第２号証）、第６３−８５頁
　　　
（４）刊行物に記載された発明
　刊行物１には、本件発明の電気刺激装置に相当する低周波治療装置、通流値計測手段に相当する測定回路１２がそれぞれ記載されている（刊行物１の段落【００６０】、【００６１】、【００６６】参照）。また、刊行物１には、通流値の表示によりその治療効果の客観的かつ定量的な判定が行える装置を提供する、旨の記載がある（刊行物１の段落【０００９】参照）。
　刊行物２には、本件発明の案内情報及び治療支援情報の画像出力を形成する演算処理装置を示唆する記載、モニタ表示装置を示唆する記載がそれぞれ開示されている（刊行物２の第７４頁第２〜１３行、第７４頁第１６〜２６行、第７５頁第１２〜１３行、第７６頁第２〜４行参照）。また、刊行物２には、治療の向上に寄与するシステムの存在を示唆する記載がある（刊行物２の第７４頁第２〜１３行参照）。
　　　
（５）対比・判断
　本件発明と上記各刊行物に記載された発明とを対比すると、上記各刊行物に記載された発明は、本件発明を特定する事項である、「検査判定の案内情報として、モニタ表示装置に表示される、検査判定の順序の案内画面及び部位の案内画面の画像表示出力を形成し、前記部位の案内画面の画像表示出力により、前記モニタ表示装置に、これから実施すべき検査点の位置を画面表示するようにし、前記順序をつぎのようにする。（ｉ）初期段階における所定の検査項目からなる検査判定　（ｉｉ）筋肉疾患の場合：筋肉の部位の検査判定　（ｉｉｉ）（ｉ）、（ｉｉ）にもとづく処置により痛みが軽減されない場合：筋肉のバランスの検査判定　（ｉｖ）（ｉｉｉ）にもとづく処置により痛みが軽減されない場合：頚・手・腰・足の相関関係の検査判定　ただし、（ｉ）、（ｉｉ）、（ｉｉｉ）、（ｉｖ）の検査判定に、検査順の表示・検査部位の表示、処置方法の表示・処置の詳細表示を含む。」とする点を備えておらず、当該事項により、本件発明は「モニタ表示装置８に表示された検査判定の案内情報及び治療支援情報を見ながら検査及び治療を行うことにより、施術者の経験の優劣にかかわらず、症状に応じた効果的な低周波治療等が行える。」（訂正明細書の段落【０１１５】参照）という顕著な効果を奏するものであり、本件発明は、上記各刊行物に記載された発明から当業者が容易に発明をすることができたものとはいえない。
　また、訂正明細書において、収集した計測結果（臨床的計測データ）に基づく案内情報及び治療支援情報の具体的な生成過程は不明であるが、収集した計測結果を分析して最適な検査判定の順序及び部位並びに治療に必要な事項を求めることは、当業者において当然行われる範囲内の事項に過ぎないものであり、明細書にその具体的記載がないからといって、本件発明を実施することができないということはできない。よって、特許異議申立人のいうような記載不備はない。
　　　
（６）むすび
　以上のとおりであるから、特許異議申立ての理由及び証拠によっては、訂正明細書の請求項１に係る発明の特許を取り消すことはできない。
　また、他に訂正明細書の請求項１に係る発明の特許を取り消すべき理由を発見しない。
　よって、結論のとおり決定する。
【異議決定日】
平成１５年６月２５日（２００３．６．２５）
【訂正の要旨】
ａ．特許第３１６２３１５号発明の明細書（特許明細書）の発明の名称
　「生理的バランス検査判定装置及び低周波治療装置」
を、明りょうでない記載の釈明を目的として、訂正明細書のとおり、
　「生理的バランス検査判定装置」
に訂正する。
ｂ．特許明細書の特許請求の範囲を、特許請求の範囲の減縮を目的として、請求項１をつぎの請求項１に訂正し、請求項２を削除する。（クレーム対応表参照）
　【請求項１】　被検体の検査部位表面に所定の周波数，電圧の低周波の検査判定用の矩形波パルスを印加して前記被検体に刺激を与える電気刺激装置と、
　前記電気刺激装置に設けられ，前記被検体の前記検査判定用の矩形波パルスの生理的通流値を計測する通流値計測手段と、
　前記通流値計測手段の計測結果をコンピュータにより演算処理して前記被検体の生理的バランスに関連したデータを収集し，検査判定の案内情報及
び治
　前記画像表示出力を画面表示するモニタ表示装置と
を備え、
　
前記検査判定の案内情報として、前記モニタ表示装置に表示される、検査判定の順序の案内画面及び部位の案内画面の画像表示出力を形成し、
　
前記部位の案内画面の画像表示出力により、前記モニタ表示装置に、これから実施すべき検査点の位置を画面表示するようにし、前記順序をつぎのようにする
（ｉ）初期段階における所定の検査項目からなる検査判定
（ｉｉ）筋肉疾患の場合：筋肉の部位の検査判定
（ｉｉｉ）（ｉ）、（ｉｉ）にもとづく処置により痛みが軽減されない場合：筋肉のバランスの検査判定
（ｉｖ）（ｉｉｉ）にもとづく処置により痛みが軽減されない場合：頚・手・腰・足の相関関係の検査判定
ただし、（ｉ）、（ｉｉ）、（ｉｉｉ）、（ｉｖ）の検査判定に、検査順の表示・検査部位の表示、処置方法の表示・処置の詳細表示を含む。
ｃ．ａの発明の名称及びｂの特許請求の範囲の訂正に伴い、発明の名称及び特許請求の範囲の記載と、発明の詳細な説明の記載との整合をとるため、明りょうでない記載の釈明を目的として、つぎのとおり訂正する。
▲１▼特許明細書第１頁第２９行〜第２頁第１行（段落【０００１】）の
　「及びこの装置を組込んだ低周波治療装置」
を削除する。
▲２▼特許明細書第３頁第２４行〜第４頁第３行（段落【００１３】）の
　「被検体の…備える。」
をつぎの通り訂正する。
　「被検体の検査部位表面に所定の周波数，電圧の低周波の検査判定用の矩形波パルスを印加して前記被検体に刺激を与える電気刺激装置と、
　前記電気刺激装置に設けられ，前記被検体の前記検査判定用の矩形波パルスの生理的通流値を計測する通流値計測手段と、
　前記通流値計測手段の計測結果をコンピュータにより演算処理して前記被検体の生理的バランスに関連したデータを収集し，検査判定の案内情報及び治療支援情報の画像表示出力を形成する演算処理装置と、
　前記画像表示出力を画面表示するモニタ表示装置とを備え、
　前記検査判定の案内情報として、前記モニタ表示装置に表示される、検査判定の順序の案内画面及び部位の案内画面の画像表示出力を形成し、
　前記部位の案内画面の画像表示出力により、前記モニタ表示装置に、これから実施すべき検査点の位置を画面表示するようにし、前記順序をつぎのようにすることを特徴とする生理的バランス検査判定装置。
（ｉ）初期段階における所定の検査項目からなる検査判定
（ｉｉ）筋肉疾患の場合：筋肉の部位の検査判定
（ｉｉｉ）（ｉ）、（ｉｉ）にもとづく処置により痛みが軽減されない場合：筋肉のバランスの検査判定
（ｉｖ）（ｉｉｉ）にもとづく処置により痛みが軽減されない場合：頚・手・腰・足の相関関係の検査判定
ただし、（ｉ）、（ｉｉ）、（ｉｉｉ）、（ｉｖ）の検査判定に、検査順の表示・検査部位の表示、処置方法の表示・処置の詳細表示を含む。」
▲３▼特許明細書第４頁第２０行〜第５頁第１２行（段落【００１８】、【００１９】、【００２０】、【００２１】）の
　「【００１８】
　つぎに、本発明の…とが行える。」
を削除する。
▲４▼特許明細書第１９頁１０行（段落【０１１８】）の
　「まず、請求項１記載の生理的バランス検査判定装置の場合、」
をつぎの通り訂正する。
　「本発明の請求項１記載の生理的バランス検査判定装置は、」
▲５▼特許明細書第１９頁第２１〜２２行（段落【０１２０】）の
　「提供できる。」
をつぎの通り訂正する。
　「提供できる。
　そして、前記検査判定の案内情報として、前記モニタ表示装置に表示される、検査判定の順序の案内画面及び部位の案内画面の画像表示出力を形成し、
　前記部位の案内画面の画像表示出力により、前記モニタ表示装置に、これから実施すべき検査点の位置を画面表示することができ、前記順序をつぎのようにすることができる。
（ｉ）初期段階における所定の検査項目からなる検査判定
（ｉｉ）筋肉疾患の場合：筋肉の部位の検査判定
（ｉｉｉ）（ｉ）、（ｉｉ）にもとづく処置により痛みが軽減されない場合：筋肉のバランスの検査判定
（ｉｖ）（ｉｉｉ）にもとづく処置により痛みが軽減されない場合：頚・手・腰・足の相関関係の検査判定
ただし、（ｉ）、（ｉｉ）、（ｉｉｉ）、（ｉｖ）の検査判定に、検査順の表示・検査部位の表示、処置方法の表示・処置の詳細表示を含む。」
▲６▼特許明細書第２０頁第３〜１４行（段落【０１２３】、【０１２４】、【０１２５】）の
　「【０１２３】
　つぎに、…できる。」
を削除する。
（５４）【発明の名称】
生理的バランス検査判定装
置
（５７）【特許請求の範囲】
　【請求項１】　被検体の検査部位表面に所定の周波数，電圧の低周波の検査判定用の矩形波パルスを印加して前記被検体に刺激を与える電気刺激装置と、
　前記電気刺激装置に設けられ，前記被検体の前記検査判定用の矩形波パルスの生理的通流値を計測する通流値計測手段と、
　前記通流値計測手段の計測結果をコンピュータにより演算処理して前記被検体の生理的バランスに関連したデータを収集し，検査判定の案内情報及
び治
　前記画像表示出力を画面表示するモニタ表示装置と
を備え、
　前記検査判定の案内情報として、前記モニタ表示装置に表示される、検査判定の順序の案内画面及び部位の案内画面の画像表示出力を形成し、
　前記部位の案内画面の画像表示出力により、前記モニタ表示装置に、これから実施すべき検査点の位置を画面表示するようにし、前記順序をつぎのようにする
（ｉ）初期段階における所定の検査項目からなる検査判定
（ｉｉ）筋肉疾患の場合：筋肉の部位の検査判定
（ｉｉｉ）（ｉ）、（ｉｉ）にもとづく処置により痛みが軽減されない場合：筋肉のバランスの検査判定
（ｉｖ）（ｉｉｉ）にもとづく処置により痛みが軽減されない場合：頚・手・腰・足の相関関係の検査判定
ただし、（ｉ）、（ｉｉ）、（ｉｉｉ）、（ｉｖ）の検査判定に、検査順の表示・検査部位の表示、処置方法の表示・処置の詳細表示を含む。
【発明の詳細な説明】
　【０００１】
　【発明の属する技術分野】
　本発明は、コンピュータ処理により被検体の生理的バランス状態の検査判定データを収集して疼痛等の治療の支援情報を医師，鍼灸師，理学療法師，柔整師等の施術者に提供する生理的バランス検査判定装
置に
　【０００２】
　【従来の技術】
　従来、神経，筋の疼痛，痙攣，固縮等の疾患に対しては、低周波治療出力を患部（治療部位）に印加する低周波治療が極めて有効である。
　【０００３】
　そして、本願の出願人は、この種低周波治療の治療効果の客観的かつ定量的な判定が行える新規な低周波治療装置を既に出願している（特願平７−１２９５７８号）。
　【０００４】
　この既出願の低周波治療装置は、治療前，後に所定の周波数，電圧の測定出力を患部表面に印加し、測定出力の通流値を計測，表示して治療前，後の通流値の比較から治療効果を客観的かつ定量的に把握し得るようにしたものである。
　【０００５】
　また、本願出願人は、低周波治療及びその前，後の治療効果の判定のいずれにも用いることができる新規な導子及びこの導子を用いた低周波治療装置についても既に出願している（特願平７−３４６８８４号）。
　【０００６】
　【発明が解決しようとする課題】
　前記神経，筋の疼痛，痙攣，固縮等は、頸椎，胸椎，腰椎，胸部，腹部，上肢，下肢並びにその左右，その他の部位などの相関関係から生ずる人体の左右，上下，前後の生理的アンバランスに起因すると考えられる。
　【０００７】
　そして、従来の低周波治療にあっては、前記両既出願に記載の治療装置のように治療の前，後の測定結果を表示することができても、この表示から患者の生理的バランス状態を把握することは困難である。
　【０００８】
　また、患者の生理的バランス状態を把握できたとしても、その生理的アンバランスに即した最適な治療部位や治療方法を迅速に判断して最も効果的な治療を実施することは容易でない。
　【０００９】
　すなわち、患者の生理的アンバランスの状況を知ることができたとしても、これを治療に応用する際の医師，鍼灸師，理学療法師，柔整師等の施術者の判断はその者の生理学的，解剖学的，病理学的知識や経験等に頼るしかなく、この場合、その優劣等により、必ずしも最適有効な治療方法，治療手技で迅速かつ的確な治療が行われるとは限らない。
　【００１０】
　したがって、生理的アンバランスに起因した疼痛等の治療の質を一層向上して良質の医療を提供することができない問題点がある。
　【００１１】
　本発明は、患者（生体）の筋及び関節の疼痛等の大部分がその生理的アンバランス（生理学的，解剖学的バランスの歪み）により誘発されたものであることに鑑み，その生理的アンバランスを検査判定して疼痛等に最適有効な治療部位，治療方法，治療手技等の情報を分り易く明示して提供し、医師，鍼灸師，理学療法師，柔整師等の臨床施術者の生理学的，解剖学的，病理学的知識，経験の優劣にかかわらず、症状に応じた効果的な低周波治療等が行えるようにし、治療の向上に寄与することを課題とする。
　【００１２】
　また、１台の装置により前記の情報の提供及び低周波治療が行えるようにすることを課題とする。
　【００１３】
　【課題を解決するための手段】
　前記の課題を解決するために、本発明の生理的バランス検査判定装置は、被検体の検査部位表面に所定の周波数，電圧の検査判定用の矩形波パルスを印加して
前記
　
前記
前記
前記
　
前記
前記
検査判定の案内情報及び
療支
　
前記
、
　前記検査判定の案内情報として、前記モニタ表示装置に表示される、検査判定の順序の案内画面及び部位の案内画面の画像表示出力を形成し、
　前記部位の案内画面の画像表示出力により、前記モニタ表示装置に、これから実施すべき検査点の位置を画面表示するようにし、前記順序をつぎのようにする
（ｉ）初期段階における所定の検査項目からなる検査判定
（ｉｉ）筋肉疾患の場合：筋肉の部位の検査判定
（ｉｉｉ）（ｉ）、（ｉｉ）にもとづく処置により痛みが軽減されない場合：筋肉のバランスの検査判定
（ｉｖ）（ｉｉｉ）にもとづく処置により痛みが軽減されない場合：頚・手・腰・足の相関関係の検査判定
ただし、（ｉ）、（ｉｉ）、（ｉｉｉ）、（ｉｖ）の検査判定に、検査順の表示・検査部位の表示、処置方法の表示・処置の詳細表示を含む。
　【００１４】
　この場合、電気刺激装置の検査判定用の矩形波パルスを被検体（患者）の検査部位表面に印加すると、その生理的通流値（電流値）が生理的バランスの状態によって変化する。
　【００１５】
　そして、生理的通流値が演算処理装置により収集されてコンピュータ処理され、この処理により被検体の生理的バランスに関連したデータが収集され、生理的通流値の面から被検体の生理的アンバランスに起因した疼痛等を特定（究明）して適切な治療を行うために有用な検査判定の案内情報及び治療支援情報の画像表示出力が形成される。
　【００１６】
　さらに、この画像表示出力に基づき、モニタ表示装置に前記案内情報及び支援情報の画面が表示され、この情報が視覚的に分り易く施術者に提供される。
　【００１７】
　したがって、モニタ表示装置の表示内容に基づき、被検体の生理的アンバランスに起因した疼痛等に有効な治療を迅速に施すことができる。
　【００２２】
　【発明の実施の形態】
　本発明の実施の１形態につき、図１ないし図１２を参照して説明する。
　ブロック構成を示した図１において、１は被検体（患者）、２は電気刺激発生手段と通流値計測手段とを有する電気刺激装置である。
　【００２３】
　そして、電気刺激発生手段は、検査判定時に所定の電圧，周波数の低周波の検査判定用の矩形波パルスを導子３を介して被検体１の検査部位表面に印加し、治療時に設定された周波数，電圧の低周波治療出力を導子３を介して被検体１の治療部位表面に印加する。
　【００２４】
　また、通流値計測手段は、検査判定用の矩形波パルス，低周波治療出力を印加したときの被検体１の電気的刺激の経皮通電に基づく通流値（電流値）を生理的通流値として計測する。
　【００２５】
　４は電気刺激装置２に接続されたコンピュータ構成の演算処理装置であり、通流値計測手段の計測結果を例えばＲＳ−２３２Ｃ規格のインタフェース回路等からなる入力変換装置５を介してコンピュータ６に取込み、このコンピュータ６によりＲＯＭ等に保持された演算ソフト７の演算処理プログラムを実行して計測結果から生理的バランス状態を判定するとともに、検査判定の案内情報及び低周波治療支援情報等の画像表示出力を形成する。
　【００２６】
　８は演算処理装置４に接続されたＣＲＴモニタ，液晶モニタ等のモニタ表示装置であり、検査判定の案内情報，治療支援情報等の画像表示出力が供給されてそれらの画面を表示する。
　【００２７】
　つぎに、電気刺激装置２及び導子３について説明する。
　まず、検査判定及び治療に用いられる導子３は、図２の（ａ），（ｂ）に示すように形成される。
　なお、導子とは医学用語であって、関電極，不関電極，コード，コンセントの一体物をいう。
　【００２８】
　そして、図２の（ａ）は導子３の全体構成を示した平面図、同図の（ｂ）はその一部の拡大図であり、それらの図面において、９は電気刺激装置２に着脱自在に接続される４極４芯のコンセント（コネクタ）、１０はコンセント９から引出された１芯のコード、１１はコード１０の先端に接続された円板状又は角板状の金属製の不関電極である。
　【００２９】
　１２はコンセント９から引出された３芯のコード、１３はコード１２が貫入した中空円筒状の絶縁体のハンドピースであり、その先端はテーパをつけてノズル状に形成されている。
　【００３０】
　１４はハンドピース１３に設けられた測定開始用の常開の操作スイッチであり、例えば自動復帰形（ノンロック式）押ボタンスイッチからなり、ハンドピース１３内でコード１２の制御用の２芯に接続されている。１５はハンドピース１３に支持された金属製の支持ロットであり、ハンドピース１３内でコード１２の通電用の残りの１芯に接続され、ハンドピース１３の先端から突出している。
　【００３１】
　１６は支持ロット１５にほぼ直角に取付けられた第１の関電極としての金属製治療電極であり、被検体１との接触面が曲面になるように大径円筒状に形成され、その両端部１６’，１６”はそれぞれテーパをつけて加工されている。
　【００３２】
　１７は治療電極１６の一方の端部１６’に一体に形成された第２の関電極としての小径円筒状の金属製計測電極であり、その端面１７’は検査判定時の電流密度を大きくするために被検体との接触面積が治療電極１６の接触面より小面積になっている。
　【００３３】
　１８は治療電極１６の他方の端部１６”に一体に形成された第３の関電極としての短円筒状の金属製治療・計測電極であり、その端面１８’は比較的狭小な部位の治療と検査判定の計測とに共用するため、治療電極１６の接触面より小面積で端面１７’よりは大面積になっている。
　【００３４】
　１９，２０は電極１７，１８の周部を被覆した絶縁体のスリーブであり、電極１７，１８の周部の被検体１の皮膚への接触を阻止して検査判定時の測定誤差を防止する。
　【００３５】
　なお、一体形成された各電極１６，１７，１８は皮膚との接触抵抗を可及的に小さくするため、それぞれの金属表面に金メッキが施されている。
　【００３６】
　つぎに、被検体１の検査部位（測定部位）に所定の周波数，電圧の低周波の矩形波パルス（矩形脈波），例えば生理学的に最適とされている電気的刺激エネルギに相当する１０００Ｈｚ，５Ｖの矩形波パルスを印加すると、この印加に基づく通流値と，検査部位の神経・筋の生理的最小興奮を起こす閾値とが比例関係にあり、通流値の計測結果から前記閾値を知ることができ、複数の検査部位の閾値から被検体１の各部の生理的バランス状態を検査して判定できる。
　【００３７】
　また、この実施の形態にあっては、電気刺激装置２の出力により生理的バランス状態の検査判定だけでなく、低周波治療も行えるようにする。
　【００３８】
　そのため、電気刺激装置２は図３に示すように形成され、同図において、２１は電気刺激出力の切換回路、２２は切換回路２１に設けられた導子接続部であり、導子３のコンセント９が着脱自在に装着される。
　【００３９】
　２３は例えばリングカウンタにより形成された計測制御回路であり、導子接続部２２を介した操作スイッチ１４の接点信号の入力回数に基づき、第１（チェック１），第２（チェック２）の計測開始の指令を選択的に出力する。
　【００４０】
　２４，２５は計測制御回路２３の第１，第２の計測開始の指令それぞれが供給されるチェック１計測スイッチ，チェック２計測スイッチであり、計測スイッチ２４は第１の計測開始指令が与えられると、第１の計測開始トリガを出力し、計測スイッチ２５は第２の計測開始指令が与えられると、第２の計測開始トリガを出力する。
　【００４１】
　２６は例えば低周波，定電圧の矩形波発振器構成の検査判定出力発生器であり、例えば１０００Ｈｚ，５Ｖの低周波の検査判定用の矩形波パルスを出力する。
　【００４２】
　２７は低周波治療出力発生器であり、治療条件に応じて周波数，電圧等の出力条件が設定され、タイマ動作中に設定された出力条件の低周波治療出力を発生する。
　【００４３】
　２８は切換回路２１内に設けられたロジックゲートスイッチであり、検査判定出力発生器２６の出力路に直列に設けられ、計測スイッチ２４，２５のいずれかの計測開始トリガによりオンして検査判定出力発生器２６の検査判定用の矩形波パルスを出力する。
　【００４４】
　２９ａ，２９ｂは切換回路２１に設けられた２個のリレースイッチであり、それぞれ検査判定接点Ｐ１と治療接点Ｐ２とを有し、切換片が導子接続部１４を介して導子３の関電極，不感電極１１それぞれに接続され、リレースイッチ２９ａの検査判定接点Ｐ１はロジックゲートスイッチ２８に接続され、両リレースイッチ２９ａ，２９ｂの治療接点Ｐ２は低周波治療出力発生器２７に接続され、発生器２７の動作中にこの発生器２７のタイマリレー（図示せず）によりリレースイッチ２９ａ，２９ｂが連動して検査判定接点Ｐ１から治療接点Ｐ２に切換わる。
　【００４５】
　３０はリレースイッチ２９ｂの検査判定接点Ｐ１とアースとの間に設けられた通流値計測手段としての計測回路であり、通流値の電路に直列挿入された低抵抗値の検出抵抗又は変流器により、検査判定出力発生器２６からリレースイッチ２９ａの検査判定接点Ｐ１，被検体１を通りリレースイッチ２９ｂの検査判定接点Ｐ１，アースを介して検査判定出力発生器２６に戻る検査判定の通流値（電流値）を計測する。
　【００４６】
　３１は表示デコーダ，表示ドライバ及びロジックゲート回路等により形成された表示器切換回路であり、計測スイッチ２４，２５の計測開始トリガにより動作し、計測回路３０の計測値のデジタル表示出力を発生する。
　【００４７】
　３２，３３は複数の数字表示器からなるチェック１計測値表示器，チェック２計測値表示器であり、計測スイッチ２４，２５の計測開始トリガに基づく表示器切換回路３１のデジタル表示出力の出力切換えにより、計測スイッチ２４が計測開始トリガを出力するチェック１検査判定のときは表示器３２に計測値が表示され、計測スイッチ２５が計測開始トリガを出力するチェック２検査判定のときは表示器３５に計測値が表示され、それぞれリセットされるまで計測値を表示する。
　【００４８】
　３４は計測回路３０の計測値（計測結果）を演算処理装置４の入力変換装置５に伝送する計測値出力回路である。
　【００４９】
　そして、治療の前，後等の検査判定時は、例えば、被検体１の第１（チェック１）の検査判定部位に導子３の関電極としての電極１７又は１８を圧接するとともに、被検体１の検査判定部位から極力離れた部位に不感電極１１を圧接する。
　【００５０】
　この状態で計測スイッチ２４をオン操作すると、スイッチ２８がオンして検査判定出力発生器２６の検査判定用の矩形波パルスが切換回路２１から導子３を介して被検体１の第１の検査判定部位表面に印加される。
　【００５１】
　さらに、この印加に基づく被検体１の第１の検査判定部位での通流値が計測回路３０によって計測され、その計測値のデジタル表示出力が表示器切換回路３１から計測値表示器３２に供給され、この表示器３２に計測値が表示される。
　【００５２】
　また、計測回路３０の計測結果が計測値出力回路３４から演算処理装置４に伝送されて収集される。
　【００５３】
　つぎに、電極１７又は１８の圧接部位をチェック１の検査判定部位と比較計測すべき被検体１の第２（チェック２）の検査判定部位に変えて計測スイッチ２５を操作する。
　【００５４】
　このとき、計測スイッチ２４をオン操作したときと同様にして検査判定出力発生器２６の検査判定用の矩形波パルスが被検体１の第２の検査判定部位に印加される。
　【００５５】
　また、この印加に基づく被検体１の検査判定部位での通流値が計測回路３０によって計測され、その計測値のデジタル表示出力が表示器切換回路３１から表示器３３に供給され、この表示器３３に計測値が表示される。
　【００５６】
　そして、リセット操作されるまで表示器３２，３３に第１，第２の検査判定部位の計測結果が表示される。
　【００５７】
　さらに、計測回路３０の計測結果が計測値出力回路３４から演算処理装置４に伝送されて収集される。
　【００５８】
　ところで、人体の生理的バランスの状態を検査判定するために計測すべき部位は人体の左右，上下，前後に亙って数多く存在し、被検体１の症状により１０〜３０個所程度の部位について通流値を計測し、計測結果を比較検討して分析すれば、疾患が機能的であるか器質的であるかの判定が行え、更には、疾患の程度及び適切な治療方法，治療手技を特定できる。
　【００５９】
　そして、測定すべき検査判定部位等は、演算処理装置４の表示出力に基づき、後述するようにモニタ表示装置８に検査判定の案内情報の１つとして画面表示される。
　【００６０】
　一方、治療時は導子３の関電極としての電極１６又は１８が被検体１の治療部位に圧接される。
　【００６１】
　そして、低周波治療出力発生器２７がその出力周波数，電圧，極性，治療時間等の出力条件を設定して駆動され、その切換指令により切換回路２１が発生器２７の低周波治療出力を選択する。
　【００６２】
　この選択に基づき、設定された周波数，電圧及び極性の低周波治療出力が被検体１の治療部位表面に設定された時間印加される。
　【００６３】
　そして、導子３に被検体１の皮膚との接触面積が異なる複数の電極１６，１７，１８を関電極として設け、検査判定時に接触面積が小さい電極１７又は１８を使用し、治療時に接触面積が大きい電極１６又は１８を使用するため、検査判定時は電流密度を高くして外乱等の影響なく高精度の計測が行え、治療時は電極接触面が広く、しかも、曲面接触で感触よく、効果的な治療が行える等の利点がある。
　【００６４】
　つぎに、演算処理装置４の処理及びモニタ表示装置８の表示について説明する。
　まず、検査判定時に電気刺激装置２の計測値出力回路３４から出力された各検査判定部位の計測結果は入力変換装置５を介してコンピュータ６に伝送される。
　【００６５】
　このコンピュータ６は演算ソフト７の演算処理プログラムを実行し、伝送入力された計測結果を収集して演算処理し、前述の計測結果の比較検討及び分析に相当するコンピュータ処理を行う。
　【００６６】
　そして、演算ソフト７の演算処理プログラムは、収集した計測結果（臨床的計測データ）を、２００００例以上の臨床治験の分析的集約によって確定した検査判定方法により演算してコンピュータ分析処理し、その過程及び結果の画像表示出力を形成してモニタ表示装置８に画面表示し、検査判定の案内情報及び治療に有用な後述の支援情報（治療支援情報）を施術者等に提供するものである。
　【００６７】
　その際、モニタ表示装置８には、例えば、患者の疾患名，疾患の状態と程度，治療方法，治療点（スパイラルテープの貼付点，低周波治療の治療導子の圧接点等）や人体の前面図，背面図，左右の側面図が表示され、また、必要に応じて左右の上肢及び下肢或いは頸部，胸部，腹部，腰部，臀部，背部等の部分表示も行われ、さらに、各部位に選択的に検査点（検査判定部位），最適治療点（治療部位）のマーキング表示が行われる。
　【００６８】
　ところで、コンピュータ６の演算処理によって実施される検査判定は、人体バランスが人体各部の筋，関節の緊張と弛緩或いは脳神経筋系の抑制と促通の状態によって全身の正常なバランス状態が崩れて、このために関連する筋，関節等に力学的異常応力が加わることにより種々の疼痛，固縮等の疾病が発生することから、その原因を近代医学における解剖学の観点と，数多くの治療が実証されている東洋医学的手法とを用いた例えばつぎの【表１】に示す検査の組合せにより行うものである。
　【００６９】
　【表１】
　【００７０】
　なお、【表１】の検査において、オーリングテストとは被検者の手の親指と中指の先端を圧接し、Ｏ形のリングを作って力を入れさせ、このリングの中へ検者の両人さし指及び中指を入れて、強く外方に引っ張る検査法であり、体の一部を斜め右上りに擦上したときと、左上に擦上したときに、オーリング検者が外方に引っ張って力の入る方を陽性とし、右上りに擦上したときに力が入るのを右方系，左上りに擦上したときに力が入るのを左方系と判定する。
　【００７１】
　また、だん中，中かんはいずれも東洋医学における経穴の名称である。
　【００７２】
　さらに、ＴＨ３、４、１１は胸椎３番、４番、１１番であり、Ｃ３は頚椎３番であり、タバコ窩（Ｃｉｇａｒｅｔ−ｐａｐｅｒ　Ｓｃａｒｓ）はタバコ巻紙状の癈痕である。
　【００７３】
　また、例えばオーリングテストの際は、導子３の代わりに専用の導子が用いられる。
　【００７４】
　そして、【表１】の検査の組合せによる生理的バランス状態の判定から筋，関節等の疾病の弁別及び治療方法の選定が可能であり、その具体的な検査手順は例えば図４及び図５の（ａ），（ｂ），（ｃ）に示すようになる。
　【００７５】
　それらの図面において、左陽池，気海，右照海は東洋医学における経穴の名称であり、督脈，任脈，衝脈，帯脈，陽きょう脈，陰きょう脈、陽維脈はともに東洋医学における脈絡の名称であり、奇経は東洋医学における経絡の名称である。
　【００７６】
　また、図中の▲１▼，▲２▼，▲３▼は通流値から関節か筋肉かを判別する部分を示す。
　【００７７】
　そして、コンピュータ６の演算処理の具体的１例は図６，図７に示すようになり、まず、「メニュー」のステップＳ１によりステップＳ２，Ｓ３，Ｓ４，Ｓ５の「患者登録」，「検査データ入力」，「急性の場合」，「亜急性の場合」の選択を求める案内画面の画像表示出力を形成し、モニタ表示装置８に前記選択の案内画面を表示する。
　【００７８】
　この案内画面に基づき、「患者登録」を選択すると、ステップＳ２により所定の登録画面の画像表示出力を形成し、モニタ表示装置８に患者登録画面を表示する。
　【００７９】
　そして、新規患者であれば、操作入力された氏名，症例，登録コード等の患者情報を初期登録してその患者のカルテを作成する。
　【００８０】
　また、既登録患者の場合は、操作入力された登録コードに基づき、ステップＳ６の「カルテ参照」を実行し、コンピュータ６の記憶装置（ファイル装置）に保存されているその登録コードのカルテを読出す。
　【００８１】
　つぎに、通常の検査・治療を行うため、ステップＳ１に戻ってステップＳ３の「検査データ入力」が選択され、登録コード等が入力されると、該当するカルテが読出され、その内容にしたがって例えば図８に示す検査データ入力画面Ｆ１の画像表示出力を形成し、モニタ表示装置８に画面Ｆ１を表示する。
　【００８２】
　このとき、カルテの読出し又は操作入力によって得られた症例等の情報に基づき、コンピュータ６の記憶装置に保持された諸症状の検査判定情報から該当する検査判定情報を選択して読出し、この情報の各検査点（検査判定部位）の名称を検査順に画面Ｆ１に表示するとともに、この画面Ｆ１の一部（右側）の人体図（全身の正面図）に検査点をマーキングする。
　【００８３】
　そして、ステップＳ７の「フローによる検査」に移行し、このステップＳ７により「検査順の表示」，「検査部位の表示」の処理ｉ，ｉｉ及び「処理方法の表示」，「処置の詳細表示」の処理ｉｉｉ，ｉｖを実行する。
　【００８４】
　このとき、処理ｉ，ｉｉにより検査判定の案内情報として例えば図９，図１０に示す検査判定の順序，部位の案内画面Ｆ２，Ｆ３の画像表示出力を形成し、表示選択等にしたがって案内画面Ｆ２，Ｆ３をモニタ表示装置８に表示する。
　【００８５】
　なお、案内画面Ｆ２には患者の登録コード（患者番号），氏名，日付とともに、オーリングテストの結果，各検査点の検査順，前回の検査結果及び今回実施した各検査点の検査判定結果の数値が表示される。
　【００８６】
　また、案内画面Ｆ３には、これから実施すべき検査点の位置を示す画像及びその検査判定のコメントが表示される。
　【００８７】
　なお、「フローによる検査」のステップＳ７で実施される検査判定の順序及び検査点は、具体的には、例えばつぎの表２に示すようになる。
　【００８８】
　【表２】
　【００８９】
　そして、案内画面Ｆ３に表示された各検査判定を実行すると、通流値に基づく各検査判定結果が今回の結果として案内画面Ｆ２に表示される。
　【００９０】
　さらに、各検査判定が終了すると、処理ｉｉｉ，ｉｖにより、治療支援情報として例えば図１１，図１２の検査結果表示及び処置（治療）案内の画面Ｆ４，具体的な処置方法の案内画面Ｆ５の画像表示出力を形成し、表示選択等にしたがってモニタ表示装置８に画面Ｆ４，Ｆ５を表示する。
　【００９１】
　なお、画面Ｆ４には検査判定の結果及びこの結果から選択された各処置の一欄が表示される。
　【００９２】
　また、画面Ｆ４に表示される処置の種類は、例えば、つぎの表３に示すように設定されている。
　【００９３】
　【表３】
　【００９４】
　表３中のＦ，Ｂは前，後，Ｌ，Ｒは左，右を意味し、Ｇは関節，Ｍは筋肉を意味し、例えばＦＧは前側の関節のことである。
　【００９５】
　そして、画面Ｆ４から処置方法を選択すると、モニタ表示装置８の表示画面が、選択した処置方法についての案内画面Ｆ５に切換わる。
　【００９６】
　この画面Ｆ５には選択された処置方法の具体的施術手法及びその治療部位の位置を示す画像や処置に関連する補足的な説明が表示される。
　【００９７】
　そして、画面Ｆ４，Ｆ５の表示を参照して施術者等は最も有効な治療（低周波治療、テーピング治療等）を選択し、選択した治療を実施する。
　【００９８】
　このとき、低周波治療であれば、画面Ｆ４での低周波治療の選択により全体の動作が検査判定から低周波治療に移行し、電気刺激装置２及び導子３を用いて低周波治療が行われる。
　【００９９】
　この低周波治療の効果は、治療前にチェック１検査判定を実施し、治療後にチェック２検査判定を実施し、表示器３２，３３に表示された治療前，後の計測結果を見比べて判断することもできるが、治療後に再びステップＳ７の「フローによる検査」を実施し、その結果の表示から判断することもできる。
　【０１００】
　そして、ステップＳ７の「フローによる検査判定」が終了すると、とくに筋肉の疾患の場合、必要に応じてステップＳ８の「筋肉の部位の検査判定」の各処理ｉ〜ｉｖを実行し、筋肉に関連する項目の検査判定及び処置の表示を行う。
　【０１０１】
　つぎに、ステップＳ７，Ｓ８の処置（治療）を実施しても痛み等が軽減されないときは、ステップＳ９の「筋肉のバランス療法」に移行する。
　【０１０２】
　このステップＳ９は関節運動に関わる筋肉のスパイラルバランス療法を実施するものであり、処理ｉ〜ｉｖにより、例えばつぎの表４に示す各検査点の検査判定を実施して必要な処置を画面表示する。
　【０１０３】
　【表４】
　【０１０４】
　表４において、部位によって検査点が違う場合は左右を検査する。
　また、処置は腰部，肩関節等の部位毎に運動痛，運動制限の２種類である。
　【０１０５】
　つぎに、ステップＳ９の療法を実施しても痛み等が軽減されないときは、ステップＳ１０の「頸・手・腰・足の相関関係の検査判定」に移行する。
　【０１０６】
　このステップＳ１０においては、処理ｉ〜ｉｖにより、つぎの表５に示す検査手順及び検査点を表示して頸部と手背との相関関係の検査を実施し、同表の２種類の処置のいずれか一方を判定結果として表示する。
　【０１０７】
　【表５】
　【０１０８】
　また、つぎの表６に示す検査手順及び検査点を表示して腰部と足背との相関関係の検査を実施し、同表の２種類の処置のいずれか一方を判定結果として表示する。
　【０１０９】
　【表６】
　【０１１０】
　つぎに、急性の患者の検査判定・治療を行うため、ステップＳ４の「急性の場合」が選択されると、この選択に基づき、ステップＳ１１の「急性の場合の検査」の処理ｉ〜ｉｖにより、つぎの表７に示す検査順及び検査点を表示して所要の検査判定を実行し、その判定結果として同表の各種類の処置から選択した処置を表示する。
　【０１１１】
　【表７】
　【０１１２】
　また、亜急性の患者の検査判定・治療を行うため、ステップＳ５の「亜急性の場合」が選択されると、この選択に基づき、ステップＳ１２の「亜急性の場合の検査判定」の処理ｉ〜ｉｖにより、つぎの表８の検査順及び検査点を表示して所要の検査判定を実行し、その判定結果として同表の各種類の処置から選択した処置を表示する。
　【０１１３】
　【表８】
　【０１１４】
　なお、各ステップの処理において、モニタ表示装置８に一部を拡大表示したり、階層表示によって検査判定等のさらに詳細な表示を行うことも可能である。
　【０１１５】
　したがって、モニタ表示装置８に表示された検査判定の案内情報及び治療支援情報を見ながら検査及び治療を行うことにより、施術者の経験の優劣にかかわらず、症状に応じた効果的な低周波治療等が行える。
　【０１１６】
　ところで、前記実施の形態においては、低周波治療装置に適用し、電気刺激装置２の出力により検査判定及び低周波治療が行えるようにしたが、請求項１記載の生理的バランス検査装置として形成するときは、電気刺激装置２から図３の発生器２７等を省き、その出力により検査判定のみを行うようにすればよい。
　【０１１７】
　そして、検査判定の種類や手順等は前記実施の形態のものに限られるものではない。
　また、電気刺激装置２は計測表示器を１個又は３個以上設けて形成してもよい。
　【０１１８】
　【発明の効果】
　本発明は以下に記載する効果を奏する。
　
本発明の
は
　【０１１９】
　そして、この処理により被検体１の生理的バランスに関連したデータが収集され、生理的通流値の面から被検体１の生理的アンバランスに起因した疼痛等を特定（究明）して適切な治療を行うために有用な検査判定の案内情報及び治療支援情報の画像表示出力を形成できる。
　【０１２０】
　さらに、この画像表示出力に基づき、モニタ表示装置８に前記案内情報及び支援情報の画面を表示し、これらの情報を視覚的に分かり易く施術者に提供できる。
　そして、検査判定の案内情報として、モニタ表示装置に表示される、検査判定の順序の案内画面及び部位の案内画面の画像表示出力を形成し、部位の案内画面の画像表示出力により、モニタ表示装置に、これから実施すべき検査点の位置を画面表示することができ、前記検判定の順序をつぎのようにすることができる。
（ｉ）初期段階における所定の検査項目からなる検査判定
（ｉｉ）筋肉疾患の場合：筋肉の部位の検査判定
（ｉｉｉ）（ｉ）、（ｉｉ）にもとづく処置により痛みが軽減されない場合：筋肉のバランスの検査判定
（ｉｖ）（ｉｉｉ）にもとづく処置により痛みが軽減されない場合：頚・手・腰・足の相関関係の検査判定
ただし、（ｉ）、（ｉｉ）、（ｉｉｉ）、（ｉｖ）の検査判定に、検査順の表示・検査部位の表示、処置方法の表示・処置の詳細表示を含む。
　【０１２１】
　したがって、モニタ表示装置８の表示内容に基づき、被検体１の生理的アンバランスに起因した疼痛等に有効な治療を迅速に施すことができる。
　【０１２２】
　そのため、患者（生体）の生理的アンバランスを検査判定して疼痛等に最適有効な治療部位，治療方法，治療手技等の情報を分り易く明示して提供し、医師，理学療法師等の臨床施術者の生理学的，解剖学的，病理学的知識，経験の優劣にかかわらず、症状に応じた効果的な低周波治療、テーピング治療等を行うことができ、治療の向上に寄与することができる。
【図面の簡単な説明】
　【図１】
　本発明の実施の１形態のブロック図である。
　【図２】
　（ａ），（ｂ）は図１の導子の平面図，一部の拡大図である。
　【図３】
　図１の電気刺激装置の詳細なブロック図である。
　【図４】
　図１の演算処理装置の検査手順の第１の説明図である。
　【図５】
　（ａ），（ｂ），（ｃ）は図１の演算処理装置の検査手順の第２，第３，第４の説明図である。
　【図６】
　図１の演算処理装置の演算処理を説明する第１のフローチャートである。
　【図７】
　図１の演算処理装置の演算処理を説明する第２のフローチャートである。
　【図８】
　図１のモニタ表示装置の第１の表示例の説明図である。
　【図９】
　図１のモニタ表示装置の第２の表示例の説明図である。
　【図１０】
　図１のモニタ表示装置の第３の表示例の説明図である。
　【図１１】
　図１のモニタ表示装置の第４の表示例の説明図である。
　【図１２】
　図１のモニタ表示装置の第５の表示例の説明図である。
　【符号の説明】
　１　被検体
　２　電気刺激装置
　４　演算処理装置
　８　モニタ表示装置